(57)【要約】【課題】携帯電話からＩＰ電話機のウエブサーバに接続があった場合に、ＩＰ電話機への疑似着信として扱い、ＩＰ電話機側から携帯電話にコールバック接続することができるＩＰ電話システムを提供する。【解決手段】ＩＰ電話機２０はウエブサーバ機能を有しブロードバンドルータ３０に接続される。ＩＰ電話機２０は、端末認証手段２１４、ウエブ接続判定手段２１３、疑似着信音生成手段２１５、コールバック制御手段２１８を備え、携帯電話からブロードバンドルータ３０を介してＩＰ電話機２０のウエブサーバに接続があったことをウエブ接続判定手段２１３が検出した場合、端末認証手段２１４は、携帯電話使用者のＩＤに基づいて、登録端末か否かを認証し、登録端末であると認証した場合、疑似着信音生成手段２１５は着信音を生成して鳴動させ、コールバック制御手段２１８は、ＩＰ電話機２０からウエブサーバに接続した携帯電話に通話発信する。【選択図】図５
2008124695.tif 000002
【特許請求の範囲】
【請求項１】
ウエブサーバ機能を有し、ブロードバンドルータに接続されたＩＰ電話機を用いたＩＰ電話システムにおいて、
前記ＩＰ電話機は、端末認証手段と、ウエブ接続判定手段と、疑似着信音生成手段と、コールバック制御手段と、を備え、
携帯電話から前記ブロードバンドルータを介して前記ＩＰ電話機のウエブサーバに接続があったことを前記ウエブ接続判定手段が検出した場合、前記端末認証手段は、携帯電話使用者のＩＤに基づいて、登録端末か否かを認証し、登録端末であると認証した場合、前記疑似着信音生成手段は着信音を生成して鳴動させ、前記コールバック制御手段は、ＩＰ電話機から前記ウエブサーバに接続した携帯電話に通話発信することを特徴とするＩＰ電話システム。
【請求項２】
前記携帯電話は、通常着信かコールバック着信かを選択する選択手段を備え、
前記端末認証手段が、携帯電話使用者のＩＤに基づいて、登録端末か否かを認証し、登録端末であると認証しなかった場合、前記携帯電話において通常着信が選択された時、前記疑似着信音生成手段は着信音を生成して鳴動させ、前記ＩＰ電話機は少なくとも前記携帯電話使用者のＩＤを表示し、前記ＩＰ電話機においてオフフック操作がなされると、前記ＩＰ電話機は、前記携帯電話からのＩＰ電話通話に自動応答することを特徴とする請求項１に記載のＩＰ電話システム。
【請求項３】
前記携帯電話は、通常着信かコールバック着信かを選択する選択手段を備え、
前記端末認証手段が、携帯電話使用者のＩＤに基づいて、登録端末か否かを認証し、登録端末であると認証しなかった場合、前記携帯電話においてコールバック着信が選択された時、前記疑似着信音生成手段は着信音を生成して鳴動させ、前記ＩＰ電話機は少なくとも前記携帯電話使用者のＩＤを表示するとともにコールバック着信を許可するか否かを選択する選択画面を表示し、該選択画面においてコールバック着信を許可する選択がなされた場合、前記コールバック制御手段は、ＩＰ電話機から前記ウエブサーバに接続した携帯電話に通話発信することを特徴とする請求項１に記載のＩＰ電話システム。
【請求項４】
前記選択画面においてコールバック着信を許可しない選択がなされた場合、前記ＩＰ電話機は、前記携帯電話にコールバック着信を許可しない旨を通知することを特徴とする請求項３に記載のＩＰ電話システム。
【請求項５】
前記ＩＰ電話機は更に、ＱＲコード生成手段と、端末登録手段と、を備え、
前記ＩＰ電話機は前記ブロードバンドルータに設定された前記ＩＰ電話機のアドレス変換情報を記録したＱＲコードを生成し、該ＱＲコードを読み取った前記携帯電話が該ＩＰ電話機のウエブサーバに接続した場合、前記端末登録手段は、前記携帯電話から使用者のＩＤを取得し、該携帯電話を端末登録し、前記認証手段は前記使用者のＩＤに基づいて登録端末の認証を行うことを特徴とする請求項１に記載のＩＰ電話システム。
【請求項６】
ウエブサーバ機能を有し、ブロードバンドルータに接続されたＩＰ電話機において、
前記ＩＰ電話機は、端末認証手段と、ウエブ接続判定手段と、疑似着信音生成手段と、コールバック制御手段と、を備え、
携帯電話から前記ブロードバンドルータを介して前記ＩＰ電話機のウエブサーバに接続があったことを前記ウエブ接続判定手段が検出した場合、前記端末認証手段は、携帯電話使用者のＩＤに基づいて、登録端末か否かを認証し、登録端末であると認証した場合、前記疑似着信音生成手段は着信音を生成して鳴動させ、前記コールバック制御手段は、ＩＰ電話機から前記ウエブサーバに接続した携帯電話に通話発信することを特徴とするＩＰ電話機。
【請求項７】
前記携帯電話は、通常着信かコールバック着信かを選択する選択手段を備え、
前記端末認証手段が、携帯電話使用者のＩＤに基づいて、登録端末か否かを認証し、登録端末であると認証しなかった場合、前記携帯電話において通常着信が選択された時、前記疑似着信音生成手段は着信音を生成して鳴動させ、前記ＩＰ電話機は少なくとも前記携帯電話使用者のＩＤを表示し、前記ＩＰ電話機においてオフフック操作がなされると、前記ＩＰ電話機は、前記携帯電話からのＩＰ電話通話に自動応答することを特徴とする請求項６に記載のＩＰ電話機。
【請求項８】
前記携帯電話は、通常着信かコールバック着信かを選択する選択手段を備え、
前記端末認証手段が、携帯電話使用者のＩＤに基づいて、登録端末か否かを認証し、登録端末であると認証しなかった場合、前記携帯電話においてコールバック着信が選択された時、前記疑似着信音生成手段は着信音を生成して鳴動させ、前記ＩＰ電話機は少なくとも前記携帯電話使用者のＩＤを表示するとともにコールバック着信を許可するか否かを選択する選択画面を表示し、該選択画面においてコールバック着信を許可する選択がなされた場合、前記コールバック制御手段は、ＩＰ電話機から前記ウエブサーバに接続した携帯電話に通話発信することを特徴とする請求項６に記載のＩＰ電話機。
【請求項９】
前記選択画面においてコールバック着信を許可しない選択がなされた場合、前記ＩＰ電話機は、前記携帯電話にコールバック着信を許可しない旨を通知することを特徴とする請求項８に記載のＩＰ電話機。
【請求項１０】
前記ＩＰ電話機は更に、ＱＲコード生成手段と、端末登録手段と、を備え、
前記ＩＰ電話機は前記ブロードバンドルータに設定された前記ＩＰ電話機のアドレス変換情報を記録したＱＲコードを生成し、該ＱＲコードを読み取った前記携帯電話が該ＩＰ電話機のウエブサーバに接続した場合、前記端末登録手段は、前記携帯電話から使用者のＩＤを取得し、該携帯電話を端末登録し、前記認証手段は前記使用者のＩＤに基づいて登録端末の認証を行うことを特徴とする請求項６に記載のＩＰ電話機。
【発明の詳細な説明】
【技術分野】
【０００１】
本発明は、ＩＰ電話機能とウエブサーバ機能を有するＩＰ電話機を備えたＩＰ電話システムおよびＩＰ電話機に関するものであり、特に、外部ネットワークを介して携帯電話からＩＰ電話機側のウエブサーバに接続があった場合に、該携帯電話からＩＰ電話機への通話要求があったものとして疑似着信音を鳴動させ、ＩＰ電話機側から該携帯電話にコールバックできるようにしたＩＰ電話システムおよびＩＰ電話機に関するものである。
【背景技術】
【０００２】
近年、ＩＰネットワークを使用したＩＰ電話サービスが行なわれている。ＩＰ電話システムにおいて、送話側からの音声はディジタル化され、さらにＩＰパケットに変換され、ＩＰネットワーク上を流れ、通話先（受話側）まで到達する。通話先において受信されたＩＰパケットは元の情報に復元され、こうして送話側と通話先との間で通話を行なうことができる。このＩＰ電話システムは、既存の電話網と比べて、運用・保守・管理コストを削減することができるため、広く使用されつつある。
【０００３】
また、最近では、ＡＳＰ（Ａｐｐｌｉｃａｔｉｏｎ  Ｓｅｒｖｉｃｅ  Ｐｒｏｖｉｄｅｒ）方式により、ウエブ上において登録グループ内でスケジュールを共有し、また電話帳や住所録等へのアクセスができるグループウェアと称されるサービスが普及してきている。携帯電話においても殆どの機種がウエブブラウザを搭載するようになり、さらに携帯電話用のコンパクトＨＴＭＬ（Ｈｙｐｅｒ  Ｔｅｘｔ  Ｍａｒｋｕｐ  Ｌａｎｇｕａｇｅ）の標準化等に伴いどの事業者からもアクセス可能なウエブページを作成できるようになってきている。
【０００４】
ＩＰ電話システムとして、現在、ＶｏＩＰ（Ｖｏｉｃｅ  ｏｖｅｒ  Ｉｎｔｅｒｎｅｔ  Ｐｒｏｔｏｃｏｌ）システムが市販されている。ＶｏＩＰシステムの代表的な呼制御プロトコルとしてＳＩＰ（Ｓｅｓｓｉｏｎ  Ｉｎｉｔｉａｔｉｏｎ  Ｐｒｏｔｏｃoｌ）がある。このＳＩＰのサーバによる呼制御にはＩＮＶＩＴＥと呼ばれる発信用の制御コマンドがある。ＩＮＶＩＴＥコマンドは発信側のＩＰ電話機より送信先に送られる最初の制御メッセージで、このメッセージには、宛先アドレス、発信者アドレス、通信能力情報のほか発信者名や会社名などを電話機毎に発呼用の付帯情報として着信先に送ることができる。
【０００５】
最近のＩＰ電話機にはウエブサーバ機能を備えたものもあり、電話機として機能する他、インターネット網を介して各種のデータ通信も行うことができるようになってきている。このようなＩＰ電話機はブロードバンドルータに接続され、電話通信、データ通信を行うことができる。また、家庭内などの小規模なＬＡＮ環境で設置されるＩＰ電話機には、このため、ウエブサーバ機能の他に更に、ブロードバンドルータの機能を内蔵した電話機も提供されている。ＩＰ電話機を接続するブロードバンドルータには前述のＳＩＰサーバ機能が内蔵されている。
【０００６】
ＩＰネットワークでは、ＩＰアドレスのような機器に割当てられたアドレスを使用することによって相手を一意に認識する必要がある。このため、ＩＰ電話機にはプライベートＩＰと呼ばれるＩＰ電話機としてのＩＰアドレスが割り当てられ、ＩＰ電話機が接続されるプロードバンドルータには、グローバルＩＰと呼ばれるＩＰアドレスが割り当てられる。プライベートＩＰアドレスはブロードバンドルータにより管理されるＬＡＮ内部におけるＩＰアドレスであり、グローバルＩＰアドレスはＩＰネットワークに接続されるブロードバンドルータ等の管理サーバを一意に特定するユニークなＩＰアドレスである。
【０００７】
ところで、ＩＰネットワークに接続されたＩＰ電話機に外部から電話をかける場合、図７に示すように、ＩＰ電話網Ｎ１、固定電話網Ｎ２、携帯電話網Ｎ３などを用いて、固定ＩＰ電話機１２０、固定電話機１３０、携帯電話１４０から通話先（相手方）のブロードバンドルータ１１０やＳＩＰサーバ（図示せず）を経由してＩＰ電話機１００を呼び出して該ＩＰ電話機１００と発信元の電話機との接続制御が行われる。通話料金の課金は発信側に対して行われ、電話機がＩＰ電話機であるか、固定電話機であるか、携帯電話であるかによって異なる。
【０００８】
また、図７のシステムにおいて、携帯電話１４０がウエブブラウザ機能を搭載しており、通信先のＩＰ電話機１００がウエブサーバ機能やウエブページを提供している場合には、携帯電話１４０からブラウザ機能を用いてＩＰ電話機１００にインターネット接続してデータ通信を行うことができる。
【０００９】
電話通信を利用した場合の料金は電話機の種別に応じて異なる。通常はＩＰ電話機を用いた通話が最も通話料金が小さく、ＩＰ電話システムを有効に利用して通信コストを抑制するために種々の方法が提案されている。例えば、下記の特許文献１（特開２００４−３５６９０７号公報）には、携帯電話とＩＰ電話機とをセンターからの呼制御により接続して相互の通話を行うＩＰ電話システムにおいて、携帯電話に送信されたウエブページから通話先を指定することで指定された通話先との接続をセンターからのコールバックにより行うようにしたＩＰ電話機の通話システムが開示されている。
【００１０】
この特許文献１に開示されたＩＰ電話機の通話システムは、メール受信機能及びブラウザ機能を持つ携帯電話とＩＰ電話機とを接続する管理センターと、管理センターに接続して各種手続きを行う法人・団体のクライアント端末とで構成され、管理センターは、クライアント端末及び携帯電話と情報の授受を行うウエブサーバと、法人・団体を特定する情報と携帯電話の利用者情報と固定電話への接続先情報とを登録・保存するデータベースと、携帯電話に管理センターへのＵＲＬリンクを記載した電子メールを送信する手段と、ＩＰ電話機への接続先情報を含む電話帳を掲載したウエブページを携帯電話に送信する手段と、携帯電話から送信されてきた通話先への接続先情報に基づいて携帯電話とＩＰ電話機との呼制御を行うセッション管理手段と、携帯電話とＩＰ電話機との通話に伴う課金情報を管理する手段とを備えたものである。
【特許文献１】特開２００４−３５６９０７号公報（図１、段落［０００１］、［０００５］、［要約］）
【発明の開示】
【発明が解決しようとする課題】
【００１１】
最近では、前述したようにウエブサーバ機能やブロードバンドルータ機能を備えたＩＰ電話機が提供されており、比較的小さいコストでＩＰ電話システムを設置できるようになってきている。このため通信コストを抑制する目的で家庭内にＩＰ電話システムを設置する個人も多くなってきている。
【００１２】
家庭内に設置されたＩＰ電話システムを有効に利用して通信料金を抑制するためには、外部からの着信に対して、ＩＰ電話機からコールバックできることが好ましい。例えば、家族が外部から携帯電話を使って家庭に電話をかける場合にそのまま接続してしまうと、携帯電話の通話料金で課金が行われてしまい通信コストの抑制にはならない。
【００１３】
そこで、上記特許文献１のように外部からの着信に対してコールバック接続してＩＰ電話機側から発信元の携帯電話に通話できると通話料金を抑制することができる。しかしながら、上記特許文献１に開示された通話システムは、企業内や多数の会員を要するグループを対象にした大規模なシステムであり、管理センターシステムが必要である。このため、家庭や数人程度の小規模なグループに導入することができないという問題点があった。
【００１４】
本願の発明者は上記の問題点を解消すべく種々検討を重ねた結果、一般の携帯電話が備えているウエブブラウザ機能を使用し、外部ネットワークを介して携帯電話からＩＰ電話機側のウエブサーバに接続があった場合に、該携帯電話からＩＰ電話機への通話要求があったものとして疑似着信音を鳴動させ、ＩＰ電話機側から該携帯電話にコールバックできるようになせば、前記の問題点を解消し得ることに想到して本発明を完成するに至ったものである。
【００１５】
すなわち、本発明は、前記の問題点を解消することを課題とし、携帯電話のウエブブラウザ機能を使用し、携帯電話からＩＰ電話機のウエブサーバに接続があった場合に、ＩＰ電話機への疑似着信として扱い、ＩＰ電話機側から携帯電話にコールバック接続することができるＩＰ電話システムおよびＩＰ電話機を提供することを目的とするものである。
【課題を解決するための手段】
【００１６】
前記課題を解決するために、本願の請求項１にかかる発明は、ウエブサーバ機能を有し、ブロードバンドルータに接続されたＩＰ電話機を用いたＩＰ電話システムにおいて、前記ＩＰ電話機は、端末認証手段と、ウエブ接続判定手段と、疑似着信音生成手段と、コールバック制御手段と、を備え、携帯電話から前記ブロードバンドルータを介して前記ＩＰ電話機のウエブサーバに接続があったことを前記ウエブ接続判定手段が検出した場合、前記端末認証手段は、携帯電話使用者のＩＤに基づいて、登録端末か否かを認証し、登録端末であると認証した場合、前記疑似着信音生成手段は着信音を生成して鳴動させ、前記コールバック制御手段は、ＩＰ電話機から前記ウエブサーバに接続した携帯電話に通話発信することを特徴とする。
【００１７】
また、請求項２にかかる発明は、請求項１にかかるＩＰ電話システムにおいて、前記携帯電話は、通常着信かコールバック着信かを選択する選択手段を備え、前記端末認証手段が、携帯電話使用者のＩＤに基づいて、登録端末か否かを認証し、登録端末であると認証しなかった場合、前記携帯電話において通常着信が選択された時、前記疑似着信音生成手段は着信音を生成して鳴動させ、前記ＩＰ電話機は少なくとも前記携帯電話使用者のＩＤを表示し、前記ＩＰ電話機においてオフフック操作がなされると、前記ＩＰ電話機は、前記携帯電話からのＩＰ電話通話に自動応答することを特徴とする。
【００１８】
また、請求項３にかかる発明は、請求項１にかかるＩＰ電話システムにおいて、前記携帯電話は、通常着信かコールバック着信かを選択する選択手段を備え、前記端末認証手段が、携帯電話使用者のＩＤに基づいて、登録端末か否かを認証し、登録端末であると認証しなかった場合、前記携帯電話においてコールバック着信が選択された時、前記疑似着信音生成手段は着信音を生成して鳴動させ、前記ＩＰ電話機は少なくとも前記携帯電話使用者のＩＤを表示するとともにコールバック着信を許可するか否かを選択する選択画面を表示し、該選択画面においてコールバック着信を許可する選択がなされた場合、前記コールバック制御手段は、ＩＰ電話機から前記ウエブサーバに接続した携帯電話に通話発信することを特徴とする。
【００１９】
また、請求項４にかかる発明は、請求項３にかかるＩＰ電話システムにおいて、前記選択画面においてコールバック着信を許可しない選択がなされた場合、前記ＩＰ電話機は、前記携帯電話にコールバック着信を許可しない旨を通知することを特徴とする。
【００２０】
また、請求項５にかかる発明は、請求項１にかかるＩＰ電話システムにおいて、前記ＩＰ電話機は更に、ＱＲコード生成手段と、端末登録手段と、を備え、前記ＩＰ電話機は前記ブロードバンドルータに設定された前記ＩＰ電話機のアドレス変換情報を記録したＱＲコードを生成し、該ＱＲコードを読み取った前記携帯電話が該ＩＰ電話機のウエブサーバに接続した場合、前記端末登録手段は、前記携帯電話から使用者のＩＤを取得し、該携帯電話を端末登録し、前記認証手段は前記使用者のＩＤに基づいて登録端末の認証を行うことを特徴とする。
【００２１】
また、本願の請求項６にかかる発明は、ウエブサーバ機能を有し、ブロードバンドルータに接続されたＩＰ電話機において、前記ＩＰ電話機は、端末認証手段と、ウエブ接続判定手段と、疑似着信音生成手段と、コールバック制御手段と、を備え、携帯電話から前記ブロードバンドルータを介して前記ＩＰ電話機のウエブサーバに接続があったことを前記ウエブ接続判定手段が検出した場合、前記端末認証手段は、携帯電話使用者のＩＤに基づいて、登録端末か否かを認証し、登録端末であると認証した場合、前記疑似着信音生成手段は着信音を生成して鳴動させ、前記コールバック制御手段は、ＩＰ電話機から前記ウエブサーバに接続した携帯電話に通話発信することを特徴とする。
【００２２】
また、請求項７にかかる発明は、請求項６にかかるＩＰ電話機において、前記携帯電話は、通常着信かコールバック着信かを選択する選択手段を備え、前記端末認証手段が、携帯電話使用者のＩＤに基づいて、登録端末か否かを認証し、登録端末であると認証しなかった場合、前記携帯電話において通常着信が選択された時、前記疑似着信音生成手段は着信音を生成して鳴動させ、前記ＩＰ電話機は少なくとも前記携帯電話使用者のＩＤを表示し、前記ＩＰ電話機においてオフフック操作がなされると、前記ＩＰ電話機は、前記携帯電話からのＩＰ電話通話に自動応答することを特徴とする。
【００２３】
また、請求項８にかかる発明は、請求項６にかかるＩＰ電話機において、前記携帯電話は、通常着信かコールバック着信かを選択する選択手段を備え、前記端末認証手段が、携帯電話使用者のＩＤに基づいて、登録端末か否かを認証し、登録端末であると認証しなかった場合、前記携帯電話においてコールバック着信が選択された時、前記疑似着信音生成手段は着信音を生成して鳴動させ、前記ＩＰ電話機は少なくとも前記携帯電話使用者のＩＤを表示するとともにコールバック着信を許可するか否かを選択する選択画面を表示し、該選択画面においてコールバック着信を許可する選択がなされた場合、前記コールバック制御手段は、ＩＰ電話機から前記ウエブサーバに接続した携帯電話に通話発信することを特徴とする。
【００２４】
また、請求項９にかかる発明は、請求項８にかかるＩＰ電話機において、前記選択画面においてコールバック着信を許可しない選択がなされた場合、前記ＩＰ電話機は、前記携帯電話にコールバック着信を許可しない旨を通知することを特徴とする。
【００２５】
また、請求項１０にかかる発明は、請求項６にかかるＩＰ電話機において、前記ＩＰ電話機は更に、ＱＲコード生成手段と、端末登録手段と、を備え、前記ＩＰ電話機は前記ブロードバンドルータに設定された前記ＩＰ電話機のアドレス変換情報を記録したＱＲコードを生成し、該ＱＲコードを読み取った前記携帯電話が該ＩＰ電話機のウエブサーバに接続した場合、前記端末登録手段は、前記携帯電話から使用者のＩＤを取得し、該携帯電話を端末登録し、前記認証手段は前記使用者のＩＤに基づいて登録端末の認証を行うことを特徴とする。
【発明の効果】
【００２６】
請求項１にかかる発明においては、ＩＰ電話機は、端末認証手段と、ウエブ接続端末判定手段と、疑似着信音生成手段と、コールバック制御手段と、を備え、携帯電話から前記ブロードバンドルータを介して前記ＩＰ電話機のウエブサーバに接続があったことを前記ウエブ接続判定手段が検出した場合、前記端末認証手段は、携帯電話使用者のＩＤに基づいて、登録端末か否かを認証し、登録端末であると認証した場合、前記疑似着信音生成手段は着信音を生成して鳴動させ、前記コールバック制御手段は、ＩＰ電話機から前記ウエブサーバに接続した携帯電話に通話発信する。
【００２７】
このような構成によれば、家庭などに設置したＩＰ電話システムにおいて、家人が使用する携帯電話を登録端末として登録しておけば、外部のネットワークから携帯電話を用いて、家庭のＩＰ電話機にウエブブラウザ接続すると、ＩＰ電話機は該携帯電話の認証を行い、認証できた場合にはＩＰ電話機側で疑似着信音を鳴動させ、オフフック操作されると自動的にＩＰ電話機から該携帯電話にコールバック接続をすることができるから、携帯電話の通話料金でなく、ＩＰ電話機からの通話料金で携帯電話とＩＰ電話機間の通話が可能になり、通話料金を抑制することができるようになる。
【００２８】
また、請求項２にかかる発明においては、請求項１にかかるＩＰ電話システムにおいて、前記携帯電話は、通常着信かコールバック着信かを選択する選択手段を備え、前記端末認証手段が、携帯電話使用者のＩＤに基づいて、登録端末か否かを認証し、登録端末であると認証しなかった場合、前記携帯電話において通常着信が選択された時、前記疑似着信音生成手段は着信音を生成して鳴動させ、前記ＩＰ電話機は少なくとも前記携帯電話使用者のＩＤを表示し、前記ＩＰ電話機においてオフフック操作がなされると、前記ＩＰ電話機は、前記携帯電話からのＩＰ電話通話に自動応答する。
【００２９】
このような構成によれば、登録端末でない友人や知人の携帯電話からウエブサーバに接続があった場合、携帯電話側において通常着信が選択されていれば、疑似着信音生成手段は着信音を生成して鳴動させ、前記ＩＰ電話機に表示された携帯電話使用者のＩＤに基づいて、ＩＰ電話機において通話操作をして、携帯電話からのＩＰ電話通話に自動応答することができるようになる。
【００３０】
また、請求項３にかかる発明においては、請求項１にかかるＩＰ電話システムにおいて、前記携帯電話は、通常着信かコールバック着信かを選択する選択手段を備え、前記端末認証手段が、携帯電話使用者のＩＤに基づいて、登録端末か否かを認証し、登録端末であると認証しなかった場合、前記携帯電話においてコールバック着信が選択された時、前記疑似着信音生成手段は着信音を生成して鳴動させ、前記ＩＰ電話機は少なくとも前記携帯電話使用者のＩＤを表示するとともにコールバック着信を許可するか否かを選択する選択画面を表示し、該選択画面においてコールバック着信を許可する選択がなされた場合、前記コールバック制御手段は、ＩＰ電話機から前記ウエブサーバに接続した携帯電話に通話発信する。
【００３１】
また、請求項４にかかる発明においては、請求項３にかかるＩＰ電話システムにおいて、前記選択画面においてコールバック着信を許可しない選択がなされた場合、前記ＩＰ電話機は、前記携帯電話にコールバック着信を許可しない旨を通知する
このような構成によれば、登録端末でない友人等の携帯電話からウエブサーバに接続があった場合、携帯電話側においてコールバック着信が選択されていれば、疑似着信音生成手段は着信音を生成して鳴動させ、前記ＩＰ電話機に表示された携帯電話使用者のＩＤとコールバック着信を許可するか否かを選択する選択画像を表示し、ＩＰ電話機においてコールバック着信を許可するかまたは拒否するかをＩＰ電話機側で選択できるようになる。コールバック着信を許可する選択をすると、該ＩＰ電話機から携帯電話に通話発信することができ、携帯電話の使用者に生じる通話料金を低減することができるようになる。
【００３２】
また、請求項５にかかる発明は、請求項１にかかるＩＰ電話システムにおいて、前記ＩＰ電話機は更に、ＱＲコード生成手段と、端末登録手段と、を備え、前記ＩＰ電話機は前記ブロードバンドルータに設定された前記ＩＰ電話機のアドレス変換情報を記録したＱＲコードを生成し、該ＱＲコードを読み取った前記携帯電話が該ＩＰ電話機のウエブサーバに接続した場合、前記端末登録手段は、前記携帯電話から使用者のＩＤを取得し、該携帯電話を端末登録し、前記認証手段は前記使用者のＩＤに基づいて登録端末の認証を行う。
【００３３】
このような構成によれば、携帯電話をＩＰ電話機に容易に端末登録することができるようになる。
【００３４】
また、請求項６〜請求項１０にかかる発明においては、それぞれ請求項１〜請求項５にかかるＩＰ電話システムを構成するＩＰ電話機を提供することができるようになる。
【発明を実施するための最良の形態】
【００３５】
以下、本発明の具体例を実施例及び図面を用いて詳細に説明する。但し、以下に示す実施例は、本発明の技術思想を具体化するためのＩＰ電話システムを例示するものであって、本発明をこの実施例のＩＰ電話システムに特定することを意図するものではなく、特許請求の範囲に含まれるその他の実施形態のＩＰ電話システムにも等しく適用し得るものである。
【実施例】
【００３６】
図１は、本発明の実施例にかかるＩＰ電話システムの構成を示すシステム構成図である。図１においてネットワークＮＷ１は、ＬＡＮ（ローカル・エリア・ネットワーク）環境にあり、ブロードバンドルータ３０とブロードバンドルータ３０に接続されたＩＰ電話機２０とからなるＩＰ電話システムを構成している。ブロードバンドルータ３０は、グローバルＩＰアドレスが割り当てられている。
【００３７】
ＩＰ電話機２０は、ブロードバンドルータ３０にＬＡＮ接続されており、ＬＡＮ環境におけるプライベートＩＰアドレスが割り当てられている。このＩＰ電話機２０は、ＳＩＰサーバ機能を備えＩＰ電話機として用いられるとともにウエブサーバ機能を備え、インターネット接続も可能である。このため、ＩＰ電話機２０には、ウエブサーバの接続ポートおよびＳＩＰサーバの接続ポートが設けられ、それぞれのポートにウエブサーバ、ＳＩＰサーバが接続される。
【００３８】
ブロードバンドルータ３０には、ＬＡＮ接続されるＩＰ電話機２０等の接続制御のためのアドレス変換テーブルが設けられており、ＩＰ電話機２０に対して外部からの通話着信やウエブサーバ接続があった場合には、ブロードバンドルータ３０はこのアドレス変換テーブルを参照してポート変換を行う。
【００３９】
インターネット環境にあるネットワークＮＷ２に接続されるＩＰ電話機４０や携帯電話５０は、ブロードバンドルータ３０を介してＩＰ電話機２０に通話発信したり、ウエブブラウザを用いてＩＰ電話機２０のウエブサーバにインターネット接続したりすることができる。ネットワークＮＷ２に接続可能なＩＰ電話機４０や携帯電話５０は、それぞれＩＰ電話としてのグローバルＩＰアドレスとポートを備えている。
【００４０】
ネッワークＮＷ１のブロードバンドルータ３０およびＩＰ電話機２０のＩＰアドレスとポート、アドレス変換テーブルの具体的な設定例、ネットワークＮＷ２のＩＰ電話機４０および携帯電話５０のＩＰアドレスとポート、アドレス変換テーブルの具体的な設定例は、それぞれ図２、図３に示されている。
【００４１】
図２に示すように、例えば、ブロードバンドルータ３０のグローバルＩＰアドレスは「２０２．２１４．１７４．５１」であり、ＩＰ電話機２０のプライベートＩＰアドレスは「１９２．１６８.１０．５」である。また、ＩＰ電話機２０におけるＷＥＢサーバとＳＩＰサーバの接続ポートは、それぞれ「８０８０」、「５０６０」である。ブロードバンドルータ３０のアドレス変換テーブルには、自身のポートにＩＰ電話機２０のプライベートＩＰアドレスとポートの変換データが記憶されている。例えば、ポート８０にはＩＰ電話機２０のプライベートＩＰアドレス「１９２．１６８．１０．５」とＷＥＢサーバの接続ポート「８０８０」との対応関係が記憶されている。ＩＰ電話機２０のＳＩＰサーバ接続ポートについても同様である。
【００４２】
外部のネットワークに接続された機器からブロードバンドルータ３０のグローバルＩＰアドレスに対してＩＰ電話機２０に対する接続要求があると、ブロードバンドルータ３０はアドレス変換テーブルを参照してＩＰ電話機２０の何れかのポートを選択して外部機器を接続する。
【００４３】
例えば、外部のネットワークＮＷ２の携帯電話５０からＩＰ電話機２０のＷＥＢサーバへの接続要求は携帯電話５０のウエブブラウザを用いてブロードバンドルータ３０のグローバルＩＰアドレス「２０２．２１４．１７４．５１」とポート「８０」を指定して行われる。この接続要求に対してブロードバンドルータ３０はアドレス変換テーブルを参照してＩＰ電話機２０のプライベートＩＰアドレス「１９２．１６８．１０．５」とポート「８０８０」に変換して接続する。携帯電話５０からのＩＰ電話としての通話接続要求（着信）も同様に、ブロードバンドルータ３０のグローバルＩＰアドレス「２０２．２１４．１７４．５１」とポート「５０６０」を指定して行われる。この接続要求に対してブロードバンドルータ３０はアドレス変換テーブルを参照してＩＰ電話機２０のプライベートＩＰアドレス「１９２．１６８．１０．５」とポート「５０６０」に変換して接続する。
【００４４】
すなわち、外部の携帯電話５０等は、ブロードバンドルータ３０のグローバルＩＰアドレスとポートなどの情報を取得すれば、該ブロードバンドルータ３０に接続されたＩＰ電話機２０にＷＥＢ接続することができる。本発明においては、ネットワークＮＷ１のＬＡＮ環境にあるＩＰ電話機２０に対して、家人や知人の携帯電話からＷＥＢ接続要求ができるようにし、ＷＥＢ接続があった場合に、ＩＰ電話機２０側では、ＩＰ電話としての疑似着信があったものと見なし、疑似着信音を鳴動させ、ＩＰ電話機２０側でオフフックや発信操作があれば、ＩＰ電話機２０側から携帯電話にコールバック発信するようにしたものである。これにより、携帯電話の通話料でなく、ＩＰ電話としての通話料で携帯電話５０との通話が可能になる。携帯電話５０等にブロードバンドルータ３０のグローバルＩＰアドレスとポートを取得させる方法については後述する。
【００４５】
この時、ＩＰ電話機２０に疑似着信とコールバック着信を許可する相手方の携帯電話５０をレベル分けすることができる。第１のレベルは、例えば、ＩＰ電話システムを設置している家庭内の家族の持つ携帯電話５０であり、この場合、該携帯電話５０の利用者ＩＤ（例えば、サブスクライバＩＤ）をＩＰ電話機２０に登録しておく。登録された携帯電話５０から疑似着信（ＩＰ電話機２０へのＷＥＢ接続）があった場合に認証をとり、家人が受話器をオフフックしたら自動的にＩＰ電話機２０から該携帯電話５０にコールバック発信する。
【００４６】
第２のレベルは友人や知人の携帯電話５０であり、ＩＰ電話機２０への登録（ＷＥＢ接続時の認証）は行わず、該携帯電話５０から疑似着信（ＩＰ電話機２０へのＷＥＢ接続）があった場合には、ＩＰ電話機２０に携帯電話番号や利用者氏名を表示し、コールバック接続するか否かを選択できるようにする。
【００４７】
以下、このような構成のＩＰ電話機２０について詳細に説明する。図４は、本発明の実施例にかかるＩＰ電話機２０の構成を示すブロック図である。ＩＰ電話機２０は、ウエブサーバ機能部２２０、ＳＩＰサーバ機能部２３０を備え、ＬＡＮインターフェイス（ＩＦ）２４０を介してＬＡＮ等のネットワークに接続されている。
【００４８】
また、ＩＰ電話機２０は、音声出力のためのスピーカ２０１、音声入力のためのマイク２０２、音声コーディック２０３を備え、音声コーディック２０３は音声の符号化と複合化、すなわち音声のアナログとデジタルの変換を行っている。この音声コーディック２０３はその他に受話音量やマイクの感度変更の機能を備えている。
【００４９】
ＩＰ電話機２０は、ディスプレイパネルによる表示部２０４と、主としてプッシュ釦から構成される入力部２０５と、ＲＯＭ２０６、ＲＡＭ２０７、ＥＥＰＲＯＭ２０８を備えている。主制御部２１０はマイクロプロセッサ等のコンピュータ装置で構成され、ＲＯＭ２０６やＥＥＰＲＯＭ２０８に蓄積された制御プログラムや各種設定値に基づいて各部の制御を行う。また、主制御部２１０はＲＡＭ２０７に各部の処理において必要なデータ類を一時記憶する。
【００５０】
図５は、図４に示すＩＰ電話機２０の主制御部２１０の機能構成を示す機能ブロック図である。主制御部２１０は、ＱＲコード生成手段２１１、端末登録手段２１２、ウエブ接続判定手段２１３、端末認証手段２１４、疑似着信音生成手段２１５、オフフック検出手段２１６、発信操作検出手段２１７、コールバック制御手段２１８を備えている。ＱＲコード生成手段２１１と端末登録手段２１２の機能については後述する。
【００５１】
外部のインターネット環境にある携帯電話５０から前述した方法でＩＰ電話機２０のウエブサーバ機能部に対する接続要求があると、ウエブ接続判定手段２１３がこれを検出し、端末認証手段２１４は、端末登録手段２１２に登録された携帯電話であるか否かの認証を行う。端末登録手段２１２にはＩＰ電話機２０に対してウエブ接続してコールバック着信を認める携帯電話の利用者のサブスクライバＩＤ、電話番号、利用者の名前などが登録されている。
【００５２】
端末認証手段２１４は端末登録手段２１２に登録されたこれらのデータに基づいてＩＰ電話機２０に登録された携帯電話であるかを認証する。登録端末である携帯電話５０は、例えば、ＩＰ電話機２０を含むＩＰ電話システムを設置した家庭の家族の携帯電話５０である。従って、登録端末である携帯電話５０からＩＰ電話機２０に対してウエブ接続があったら、自動的にＩＰ電話機２０から携帯電話にコールバック発信すると携帯電話の通話料金でなくＩＰ電話料金で家族間の通話ができるようになる。
【００５３】
自動コールバック発信のため、端末認証手段２１４がウエブ接続してきた携帯電話５０が登録端末であると認証すると、疑似着信音生成手段２１５は、電話着信の場合と同様の着信音（ウエブ接続であるので疑似的に電話の着信を知らせる疑似着信音）を生成して着信音を鳴動させる。在宅している家族がＩＰ電話機２０の受話器を取り上げる（オフフックする）と、オフフック検出手段２１６がこれを検出し、コールバック制御手段２１８が自動的にＩＰ電話機２０側から携帯電話５０にＩＰ電話としての通話発信を行う。以上、説明した例が前述した第１のレベルの携帯電話、すなわち、ＩＰ電話機２０に端末登録した携帯電話との間の制御手順である。
【００５４】
次に、前述した第２のレベルの携帯電話、例えば、ＩＰ電話システムを設置した家庭の家族がＩＰ電話機２０へのウエブ接続のためのデータを提供した、友人や知人の携帯電話５０の場合の動作について説明する。この場合、携帯電話５０はＩＰ電話機２０には端末登録はせず、ウエブ接続した時点で携帯電話５０から携帯電話番号を入力しＩＰ電話機２０に送信する手順を採る。また、携帯電話５０の携帯電話番号の入力画面には、通常通話とコレクトコールの選択ボタンを表示し、携帯電話５０の利用者が何れかを選択してＩＰ電話機２０に送信する。
【００５５】
外部のインターネット環境にある携帯電話５０から前述した方法でＩＰ電話機２０のウエブサーバ機能部に対する接続要求があると、ウエブ接続判定手段２１３がこれを検出し、端末認証手段２１４は、端末登録手段２１２に登録された携帯電話であるか否かの認証を行う。携帯電話５０が第２のレベル、すなわちＩＰ電話機２０に登録されている端末でない場合、認証がとれず、ＩＰ電話機２０は携帯電話５０が登録端末でないことを認識する。
【００５６】
携帯電話５０には前述したように携帯電話番号の入力と、通常着信かコレクトコール着信の何れかを選択する選択画面、すなわち、着信種別の選択画が表示される。この選択画面で着信種別を選択すると、携帯電話番号と着信種別のデータがＩＰ電話機２０に送信されるから、ＩＰ電話機２０の主制御部２１０は表示部２０４に携帯電話番号、着信種別を表示する。ＩＰ電話機２０の電話帳にこの携帯電話番号が登録されていれば、携帯電話番号に加えてその携帯電話の利用者の名前などの付加情報を表示部２０４に表示することができる。
【００５７】
携帯電話５０において着信種別として通常着信が選択されている場合、ＩＰ電話機２０においては、疑似着信音生成手段２１５は、電話着信の場合と同様の着信音（ウエブ接続であるので疑似的に電話の着信を知らせる疑似着信音）を生成して着信音を鳴動させる。在宅している家族がＩＰ電話機２０の表示部２０４に表示された情報（携帯電話番号、名前、通常着信など）を確認し、受話器を取り上げる（オフフックする）と、ＩＰ電話機２０から携帯電話５０にＩＰ電話機２０の電話番号を送信する。
【００５８】
携帯電話５０はＩＰ電話機２０から受信したＩＰ電話機２０の電話番号を表示し、携帯電話５０の利用者がこの電話番号をクリック操作すると、携帯電話５０からＩＰ電話機２０にＩＰ電話機としての通話発信が行われ、ＩＰ電話機２０は携帯電話５０からのＩＰ電話機に自動応答する。
【００５９】
一方、携帯電話５０において着信種別としてコレクトコールが選択されている場合、ＩＰ電話機２０においては、疑似着信音生成手段２１５は、電話着信の場合と同様の着信音（ウエブ接続であるので疑似的に電話の着信を知らせる疑似着信音）を生成して着信音を鳴動させる。在宅している家族がＩＰ電話機２０の表示部２０４に表示された情報（携帯電話番号、名前、コレクトコールなど）を確認する。この表示画面にはコレクトコールを許可「ＯＫ」するか拒絶「ＮＧ」するかを選択する選択ボタンも表示される。コレクトコールを許可する場合、ＩＰ電話機２０側から携帯電話５０にＩＰ電話機としてコールバック発信することになるので、本明細書ではコレクトコール着信をコールバック着信と同等のものとして説明している。
【００６０】
在宅している家族が表示部２０４に表示された表示内容を確認し、コレクトコールを許可する場合「ＯＫ」を選択し、受話器を取り上げると、オフフック検出手段２１６がこれを検出し、コールバック制御手段２１８が自動的にＩＰ電話機２０側から携帯電話５０にＩＰ電話機としての通話発信を行う。これにより携帯電話５０に自動的にコールバック接続ができ、オペレータや交換局を介さない疑似的なコレクトコール接続が完了する。
【００６１】
在宅している家族が表示部２０４に表示された表示内容を確認し、コレクトコールを拒絶する場合「ＮＧ」を選択する。ＩＰ電話機２０は携帯電話にコレクトコールが許可されなかったことを通知し、携帯電話５０の表示画面にはこの旨が表示される。その後の動作は携帯電話５０側の操作による。携帯電話５０がＩＰ電話機２０にウエブ接続でなく、通常のＩＰ電話の通話をした場合には、ＩＰ電話機２０はＩＰ電話として接続する。
【００６２】
先に述べたように、外部の携帯電話５０等は、ブロードバンドルータ３０のグローバルＩＰアドレスとポートなどの情報を取得すれば、該ブロードバンドルータ３０に接続されたＩＰ電話機２０にＷＥＢ接続することができる。外部の携帯電話５０等にＩＰ電話機２０のウエブ接続のためのデータは、本質的に携帯電話５０に手入力で設定できるものである。しかし、本実施例においては、携帯電話５０における入力を容易にするため、ＩＰ電話機２０に設けたＱＲコード生成手段２１１を用いるようにしている。
【００６３】
先ず、ＩＰ電話機２０を操作してブロードバンドルータ３０に接続する。この接続は、いわゆるｕＰｎＰ（汎用プラグイン  アンド  プレイ  プロトコル）のプロトコルを用いて行うことができる。このプロトコルによれば、ＬＡＮ内の機器が必要に応じてルータやファイヤウォールにポートの開閉や外部からの接続要求に対するマッピングなどを要求する手順が用意されている。これにより、ルータが保持しているグローバルＩＰアドレスを確認したり、動的にポートマッピングを設定するように要求したりすることができる。
【００６４】
このプロトコルを用いてＩＰ電話機２０は、ブロードバンドルータ３０からグローバルＩＰアドレスとポートを取得し、ＱＲコード生成手段２１１は、ブロードバンドルータ３０の接続先情報、アドレス変換テーブルの情報を含むＱＲコードを生成して表示部２０４に表示する。
【００６５】
ＩＰ電話機２０の表示部２０４にＱＲコードが表示されると、外部の携帯電話５０等、すなわち家族の携帯電話により表示されたＱＲコードを読み取る。最近の携帯電話はＣＣＤカメラなどの撮像手段やＱＲコード読み取り装置を内蔵している場合が多く、携帯電話に特別の機能を追加することなくＱＲコードの読み取りが可能である。携帯電話５０はＱＲコードから読み取った情報を携帯電話側の接続情報として保存する。
【００６６】
次に、携帯電話５０は保存した接続情報を用いてＩＰ電話２０にウエブ接続を要求する。携帯電話５０からウエブ接続されたＩＰ電話機は、この時に携帯電話５０のサブスクライバＩＤを携帯電話５０から取得し、端末登録手段２１２にサブスクライバＩＤを登録する。これにより携帯電話５０はＩＰ電話機２０に端末登録され、以後、ＩＰ電話機２０にウエブ接続すると、ＩＰ電話機２０は前述した疑似着信音を鳴動させ、自動的にＩＰ電話機２０から携帯電話５０にコールバック接続を行う。
【００６７】
なお、友人や知人の携帯電話５０に上記の接続情報を入力する場合も同様にＱＲコードを該携帯電話に読み取らせてもよく、あるいは、家族の携帯電話がＱＲコードから読み取った情報を転送して設定させることができる。
【００６８】
図６は、以上説明した本発明の実施例にかかるＩＰ電話機２０の動作手順を示すフローチャートである。先ず、ステップＳ１０１の処理において、ＩＰ電話機２０に外部のネットワークに属する携帯電話５０（図１参照）からウエブ接続があるとウエブ接続判定手段２１３がこれを検出する。
【００６９】
次いで、ステップＳ１０２の処理において端末認証手段２１４は端末登録手段２１２に記録されたデータ（サブスクライバＩＤなど）を参照して認証を行う。登録端末である携帯電話５０からの接続であることが認証されると、ステップＳ１０３の処理に進み、疑似着信音生成手段２１５は着信音を生成して鳴動させる。
【００７０】
ＩＰ電話機２０において受話器をオフフックすると、ステップＳ１０４のオフフック判定処理においてオフフック検出手段２１６がこれを検出する。次いで、ステップＳ１０５の処理において、コールバック制御手段２１８は、ＩＰ電話機２０から携帯電話５０に通話発信（コールバック発信）する。
【００７１】
ステップＳ１０２の判定処理において端末認証手段２１４が携帯電話５０が登録端末でないと判定（認証ができなかったと判定）した場合は、ＩＰ電話機２０に登録された携帯電話（登録端末）でないことになる。ＩＰ電話機２０はステップＳ１０６の携帯端末５０側の処理において携帯電話５０に表示される選択画面での選択操作を待つ。ここで携帯電話５０が選択する選択項目は、先に説明したように通常着信かコレクトコールかの着信種別や携帯電話番号などである。
【００７２】
ステップＳ１０７でＩＰ電話機２０は、携帯電話５０側で選択された着信種別を判定する。通常着信であれば、ステップＳ１０８の処理において、疑似着信音生成手段２１５は着信音を生成して鳴動させる。そして、ステップＳ１０９の処理において、ＩＰ電話機２０は表示部２０４に携帯電話５０の電話番号、利用者の名前を（ＩＰ電話機２０の電話帳に登録があれば利用者の名前が取得できる）表示してステップＳ１１０の処理に進む。
【００７３】
ＩＰ電話機２０の使用者が表示部２０４に表示された携帯電話番号、名前を確認して受話器をオフフックする。ステップＳ１１０のオフフック判定処理においてオフフック検出手段２１６がこれを検出すると、ステップＳ１１１の処理に進み、携帯電話５０からのＩＰ電話接続に対して自動応答する。オフフック検出されない場合はステップＳ１０９の処理に戻る。
【００７４】
ステップＳ１０７の判定処理において、携帯電話５０側で選択された着信種別がコレクトコールであると判定されると、ステップＳ１１２の処理において、疑似着信音生成手段２１５は着信音を生成して鳴動させる。そして、ステップＳ１１３の処理において、ＩＰ電話機２０は表示部２０４に携帯電話５０の電話番号、利用者の名前を（ＩＰ電話機２０の電話帳に登録があれば利用者の名前が取得できる）表示してステップＳ１１４の処理に進む。このとき表示部２０４にはコレクトコールを許可するか否かの選択項目（ＯＫ、ＮＧ）が表示されている。
【００７５】
ＩＰ電話機２０の使用者が表示部２０４に表示された携帯電話番号、名前を確認して、表示部２０４に表示されたコレクトコールを許可するか否かの選択項目（ＯＫ、ＮＧ）を操作する。選択項目ＯＫを操作すると、ステップＳ１１４の処理において、コレクトコールが許可されたことを判定する。
【００７６】
コレクトコールが許可され、ＩＰ電話機２０でオフフック操作または発信操作すると、ステップＳ１０４のオフフック判定処理においてオフフック検出手段２１６がこれを検出する。次いで、ステップＳ１０５の処理において、コールバック制御手段２１８は、ＩＰ電話機２０から携帯電話５０に通話発信（コールバック発信）する。
【００７７】
一方、ＩＰ電話機２０側で選択項目ＮＧを操作すると、ステップＳ１１４の処理において、コレクトコールが拒絶されたことを判定する。この情報はＩＰ電話機２０から携帯電話５０に送信され、ステップＳ１１５の処理において携帯電話５０にコレクトコールが拒絶されたこと（ＮＧであったこと）が表示される。そしてＩＰ電話機２０側は、ステップＳ１１６の処理において携帯電話５０側の操作を待つ。
【００７８】
以上、詳細に説明したように、本発明にかかるＩＰ電話システムによれば、外部のネットワークから携帯電話を用いて、家庭のＩＰ電話機にウエブブラウザ接続すると、ＩＰ電話機は該携帯電話の認証を行い、認証できた場合にはＩＰ電話機側で疑似着信音を鳴動させ、オフフック操作されると自動的にＩＰ電話機から該携帯電話にコールバック接続をすることができる。従って、携帯電話の通話料金でなくＩＰ電話料金で家族間の通話ができるようになる。
【図面の簡単な説明】
【００７９】
【図１】本発明の実施例にかかるＩＰ電話システムの構成を示すシステム構成図である。
【図２】図１のＩＰ電話システムにおいてＬＡＮ環境にある機器のＩＰアドレス、ポートの具体例を示す図である。
【図３】図１のＩＰ電話システムにおいてインターネット環境にある機器のＩＰアドレス、ポートの具体例を示す図である。
【図４】本発明の実施例にかかるＩＰ電話機の構成を示すブロック図である。
【図５】本発明の実施例にかかるＩＰ電話機の制御部機能の構成を示す機能ブロック図である。
【図６】本発明の実施例にかかるＩＰ電話機のウエブ接続時の動作手順を示すフローチャートである。
【図７】一般的なＩＰ電話システムの構成を示す図である。
【符号の説明】
【００８０】
ＮＷ１・・・・ＩＰ電話システム
ＮＷ２・・・・インターネット網
２０・・・・・ＩＰ電話機
３０・・・・・ブロードバンドルータ
２１０・・・・主制御部
２１１・・・・ＱＲコード生成手段
２１２・・・・端末登録手段
２１３・・・・ウエブ接続判定手段
２１４・・・・端末認証手段
２１５・・・・疑似着信音生成手段
２１６・・・・オフフック検出手段
２１７・・・・発信操作検出手段
２１８・・・・コールバック制御手段
【図１】
2008124695.tif 000003
【図２】
2008124695.tif 000004
【図３】
2008124695.tif 000005
【図４】
2008124695.tif 000006
【図５】
2008124695.tif 000007
【図６】
2008124695.tif 000008
【図７】
2008124695.tif 000009